(57)【特許請求の範囲】
【請求項１】
複数の駐車料金精算機と、それら複数の駐車料金精算機と通信接続されるセンタ装置と、を含む駐車料金精算システムであって、
前記複数の駐車料金精算機は、それぞれ、
ＩＤ情報及び残高情報が記憶された精算手段たるプリペイドカードを受け入れ、それら情報を読み取るプリペイドカード読取手段と、
該プリペイドカード読取手段により読み取られる、前記精算手段たるプリペイドカードに係るＩＤ情報及び残高情報を、前記センタ装置に送信する送信手段と、を含み、
前記センタ装置は、
複数のプリペイドカードのそれぞれについて、ＩＤ情報、残高情報、及び該プリペイドカードが有効であるか無効であるかを示す有効性情報を対応づけて記憶するプリペイドカード情報記憶手段と、
前記複数の駐車料金精算機から前記精算手段たるプリペイドカードに係るＩＤ情報及び残高情報を受信する受信手段と、
該受信手段により受信した前記精算手段たるプリペイドカードのＩＤ情報に対応して前記プリペイドカード情報記憶手段に記憶される有効性情報が該プリペイドカードの有効を示すものであるときに、該受信手段が受信した該プリペイドカードの残高情報と、該プリペイドカードのＩＤ情報に対応して前記プリペイドカード情報記憶手段に記憶される残高情報と、を比較する残高比較手段と、
該残高比較手段による比較結果に応じて前記精算手段たるプリペイドカードが有効であるか無効であるかを判断する有効性判断手段と、
該有効性判断手段による判断結果を前記精算手段たるプリペイドカードのＩＤ情報に対応づけて前記有効性情報として前記プリペイドカード情報記憶手段に記憶させる判断結果記憶手段と、
該プリペイドカードのＩＤ情報に対応して前記プリペイドカード情報記憶手段に記憶される有効性情報が該プリペイドカードの無効を示すものであるときは、当該無効情報を前記駐車料金精算機に返信し、該有効性判断手段による判断結果が出たときは当該判断結果を前記駐車料金精算機に返信する判断結果返信手段と、
を含むことを特徴とする駐車料金精算システム。
【請求項２】
請求項１に記載の駐車料金精算システムにおいて、
前記駐車料金精算機は、前記判断結果返信手段から受けた前記有効性判断手段による判断結果が無効情報であるときに、当該無効情報を当該プリペイドカードに記憶することを特徴とする駐車料金精算システム。
【請求項３】
請求項１又は２に記載の駐車料金精算システムにおいて、
前記精算手段たるプリペイドカードによって精算しようとする金額を取得する精算金額取得手段と、
前記有効性判断手段により精算手段たるプリペイドカードが有効であると判断される場合に、前記精算手段たるプリペイドカードに記憶されているＩＤ情報に対応づけて前記プリペイドカード情報記憶手段に記憶されている残高情報を、前記精算金額取得手段により取得される金額を減じたものに書き換える残高情報書換手段と、
をさらに含むことを特徴とする駐車料金精算システム。
【請求項４】
請求項３に記載の駐車料金精算システムにおいて、
前記複数の駐車料金精算機は、それぞれ、
前記精算金額取得手段と、
該精算金額取得手段により取得される金額を表す精算額情報を前記センタ装置に送信する精算金額送信手段と、
をさらに含み、
前記センタ装置は、
前記複数の駐車料金精算機から前記精算額情報を受信する精算額情報受信手段と、
前記残高情報書換手段であって、前記精算手段たるプリペイドカードに記憶されているＩＤ情報に対応づけて前記プリペイドカード情報記憶手段に記憶されている残高情報を、前記精算手段たるプリペイドカードに係る前記精算額情報が表す金額を減じたものに書き換える残高情報書換手段と、
をさらに含むことを特徴とする駐車料金精算システム。
【請求項５】
請求項１乃至４のいずれかに記載の駐車料金精算システムにおいて、
前記有効性判断手段は、精算手段たるプリペイドカードの残高情報と、該プリペイドカードのＩＤ情報に対応して前記プリペイドカード情報記憶手段に記憶される残高情報と、が一致する場合に該プリペイドカードを有効であると判断し、一致しない場合に無効であると判断することを特徴とする駐車料金精算システム。
【発明の詳細な説明】
【０００１】
【発明の属する技術分野】
本発明は料金精算システムに関し、特に駐車料金をキャッシュレスで安全且つ効率的に決済することのできる駐車料金精算システムに関する。
【０００２】
【従来の技術】
有料駐車場においては、出庫の際に利用者が駐車料金精算機に出向き、そこで駐車時間に応じた駐車料金を現金にて支払うのが一般的である。しかしながら、特にゲート式駐車場においては駐車場の出入口にて車窓から運転者が駐車料金精算機により料金精算をするため、駐車料金精算機に対する車両の停止位置によって、或いは車窓の高低によって料金投入を手早く行うことができない場合がある。また、車窓からの料金精算では釣銭の受け取りにも時間がかかる。このため、プリペイドカードを用いて駐車料金をキャッシュレスで決済するシステムが望まれている。
【０００３】
このようにプリペイドカードを用いたキャッシュレス決済を駐車料金の精算に利用できれば、駐車場利用者は料金投入を素早く行うことができるばかりか、釣銭の受け取りも省略できるため、駐車料金精算の効率化を図ることがでる。この結果、駐車場出口での渋滞を軽減することもできる。
【０００４】
【発明が解決しようとする課題】
しかしながら、駐車料金の精算にプリペイドカードを利用する場合には次のような問題がある。すなわち、プリペイドカードには残高情報が記憶されており、これが利用の度に利用額を減じた残高情報に書き換えられるようになっているため、不正利用者が秘密裏にプリペイドカードの残高情報を書き換え、それを駐車料金の精算に使用するという詐欺的行為が懸念される。
【０００５】
このため、駐車場オーナはプリペイドカードを駐車料金の精算に用いることを躊躇しがちである。また、たとえ駐車場オーナがプリペイドカードを駐車料金の精算に用いることに踏み切ったとしても、高額なプリペイドカードについてはリスク軽減のために使用を控えがちである。ところが低額のプリペイドカードだけ使用を認めるのでは数回の使用により残高が尽きてしまうため、駐車場利用者にとっては利用価値が低い。
【０００６】
本発明は上記課題に鑑みてなされたものであって、その目的は、駐車料金の精算をプリペイドカードで安全且つ効率的に行うことのできる駐車料金精算システムを提供することにある。
【０００７】
【課題を解決するための手段】
上記課題を解決するために、本発明に係る駐車料金精算システムは、ＩＤ情報及び残高情報が記憶された精算手段たるプリペイドカードを受け入れ、それら情報を読み取るプリペイドカード読取手段と、複数のプリペイドカードについてＩＤ情報と残高情報とを対応づけて記憶するプリペイドカード情報記憶手段と、前記精算手段たるプリペイドカードの残高情報と、該プリペイドカードのＩＤ情報に対応して前記プリペイドカード情報記憶手段に記憶される残高情報と、を比較する残高比較手段と、該残高比較手段による比較結果に応じて前記精算手段たるプリペイドカードの有効性を判断する有効性判断手段と、を含むことを特徴とする。
【０００８】
本発明では、プリペイドカード情報記憶手段には複数のプリペイドカードについてＩＤ情報と残高情報とが対応づけられて記憶されている。そして、プリペイドカード読取手段により精算手段たるプリペイドカードに係るＩＤ情報及び残高情報が読み取られると、その残高情報と、該プリペイドカードのＩＤ情報に対応してプリペイドカード情報記憶手段に記憶されている残高情報と、が比較され、その比較結果に応じて精算手段たるプリペイドカードの有効性が判断される。こうすれば、例えプリペイドカードの残高情報を不正に書き変えたとしても、プリペイドカード情報記憶手段に記憶されている残高情報との比較により有効性が否定されるため、駐車料金の精算にプリペイドカードを安全に用いることができるようになる。これにより駐車料金の精算を効率化することができる。
【０００９】
また、本発明の一態様では、前記精算手段たるプリペイドカードによって精算しようとする金額を取得する精算金額取得手段と、前記有効性判断手段により精算手段たるプリペイドカードが有効であると判断される場合に、前記精算手段たるプリペイドカードに記憶されているＩＤ情報に対応づけて前記プリペイドカード情報記憶手段に記憶されている残高情報を、前記精算金額取得手段により取得される金額を減じたものに書き換える残高情報書換手段と、をさらに含む。
【００１０】
この態様では、精算手段たるプリペイドカードによる精算金額を取得して、そのプリペイドカードについて前記プリペイドカード情報記憶手段に記憶されている残高情報を、その精算金額を減じたものに書き換えるようにしている。こうすれば、当該プリペイドカードの次回使用の際にも有効性の確認をすることができるようになる。
【００１１】
また、本発明に係る駐車料金精算システムは、複数の駐車料金精算機と、それら複数の駐車料金精算機と通信接続されるセンタ装置と、を含む駐車料金精算システムであって、前記複数の駐車料金精算機は、それぞれ、ＩＤ情報及び残高情報が記憶された精算手段たるプリペイドカードを受け入れ、それら情報を読み取るプリペイドカード読取手段と、該プリペイドカード読取手段により読み取られる、前記精算手段たるプリペイドカードに係るＩＤ情報及び残高情報を、前記センタ装置に送信する送信手段と、を含み、前記センタ装置は、複数のプリペイドカードのそれぞれについて、ＩＤ情報、残高情報、及び該プリペイドカードが有効であるか無効であるかを示す有効性情報を対応づけて記憶するプリペイドカード情報記憶手段と、前記複数の駐車料金精算機から前記精算手段たるプリペイドカードに係るＩＤ情報及び残高情報を受信する受信手段と、該受信手段により受信した前記精算手段たるプリペイドカードのＩＤ情報に対応して前記プリペイドカード情報記憶手段に記憶される有効性情報が該プリペイドカードの有効を示すものであるときに、該受信手段が受信した該プリペイドカードの残高情報と、該プリペイドカードのＩＤ情報に対応して前記プリペイドカード情報記憶手段に記憶される残高情報と、を比較する残高比較手段と、該残高比較手段による比較結果に応じて前記精算手段たるプリペイドカードが有効であるか無効であるかを判断する有効性判断手段と、該有効性判断手段による判断結果を前記精算手段たるプリペイドカードのＩＤ情報に対応づけて前記有効性情報として前記プリペイドカード情報記憶手段に記憶させる判断結果記憶手段と、該プリペイドカードのＩＤ情報に対応して前記プリペイドカード情報記憶手段に記憶される有効性情報が該プリペイドカードの無効を示すものであるときは、当該無効情報を前記駐車料金精算機に返信し、該有効性判断手段による判断結果が出たときは当該判断結果を前記駐車料金精算機に返信する判断結果返信手段と、を含むことを特徴とする。本発明に係る駐車料金精算システムによると、プリペイドカード情報記憶手段に記憶された有効性情報に基づいて不正追求をすることができるようになる。また、有効性判断手段による判断によらずとも当該プリペイドカード情報記憶手段に記憶された有効性情報に基づいて直ちに無効なプリペイドカードを判断できるようになる。また、本発明の他の一態様では、前記駐車料金精算機は、前記判断結果返信手段から受けた前記有効性判断手段による判断結果が無効情報であるときに、当該無効情報を当該プリペイドカードに記憶する。
【００１２】
本発明に係る駐車料金精算システムは、複数の駐車料金精算機とセンタ装置とを含んで構成される。こうすれば、多数のプリペイドカードについてのＩＤ情報及び残高情報をセンタ装置のプリペイドカード情報記憶手段において一括管理できるようになるため、各駐車料金精算機の構成をシンプルなものとすることができる。
【００１３】
本発明の一態様では、前記複数の駐車料金精算機は、それぞれ、前記精算手段たるプリペイドカードによって精算しようとする金額を取得する精算金額取得手段と、該精算金額取得手段により取得される金額を表す精算額情報を前記センタ装置に送信する精算金額送信手段と、をさらに含み、前記センタ装置は、前記複数の駐車料金精算機から前記精算額情報を受信する精算額情報受信手段と、前記有効性判断手段により精算手段たるプリペイドカードが有効であると判断される場合に、前記精算手段たるプリペイドカードに記憶されているＩＤ情報に対応づけて前記プリペイドカード情報記憶手段に記憶されている残高情報を、前記精算手段たるプリペイドカードに係る前記精算額情報が表す金額を減じたものに書き換える残高情報書換手段と、をさらに含む。こうすれば、当該プリペイドカードの次回使用の際にも有効性の確認を行えるようになる。
【００１４】
また、本発明の一態様では、前記有効性判断手段は、精算手段たるプリペイドカードの残高情報と、該プリペイドカードのＩＤ情報に対応して前記プリペイドカード情報記憶手段に記憶される残高情報と、が一致する場合に該プリペイドカードを有効であると判断し、一致しない場合に無効であると判断する。こうすれば、残高情報の書き換えがあると有効でないと判断できるため、より厳密な有効性判断とすることができる。
【００１５】
さらに、本発明の一態様では、前記有効性判断手段による判断結果を記憶する判断結果記憶手段をさらに含む。こうすれば、判断結果記憶手段の記憶内容に基づいて不正追求をすることができるようになる。また、有効性判断手段による判断によらずとも当該判断結果記憶手段の記憶内容に基づいて直ちに無効なプリペイドカードを判断できるようになる。
【００１６】
【発明の実施の形態】
以下、本発明の好適な実施の形態について図面に基づき詳細に説明する。
【００１７】
図１は、本発明の実施の形態に係る駐車料金精算システムの全体構成を示す図である。同図に示す駐車料金精算システム１０は、駐車料金精算機１２ａ〜１２ｄと、センタ装置１４と、を含んで構成されている。
【００１８】
駐車料金精算機１２はそれぞれ駐車場の出入口等に設置されるものであり、駐車場利用者が駐車券及びプリペイドカードを挿入して駐車料金の精算を行うためのものである。駐車料金精算機においてプリペイドカード及び駐車券の記録内容が読み取られると、その情報はセンタ装置１４に送信される。
【００１９】
センタ装置１４はプリペイドカードの有効性を判断するものである。センタ装置１４は駐車料金精算機１２ａ〜１２ｄと通信回線により接続されており、相互にデータ通信が可能となっている。そして、センタ装置１４においてプリペイドカードの有効性が判断されると、その判断結果は駐車料金精算機１２に返信されるようになっている。そして、駐車料金精算機１２ではプリペイドカードが有効であれば当該プリペイドカードでの精算を行い、無効である場合には当該プリペイドカードでの精算を拒絶する。
【００２０】
図２は、駐車料金精算機１２の構成を示す図である。同図に示すように、駐車料金精算機１２は、プリペイドカードリーダライタ１６と、駐車券リーダ１８と、制御部２４と、通信部２６と、を含んで構成されている。プリペイドカードリーダライタ１６は精算手段である駐車場利用者のプリペイドカードを受け入れてその記録内容を読みとるものである。プリペイドカードにはＩＤ情報とともに残高情報が記録されており、これらの情報がプリペイドカードリーダライタ１６により読みとられる。また、制御部２４からの指示に基づいてプリペイドカードリーダライタ１６はプリペイドカードに記録されている残高情報の内容を書き換える機能も有している。
【００２１】
駐車券リーダ１８は駐車場利用に際して発行された駐車券を出庫の際に受け入れ、その記録内容を読みとるものである。ここでは駐車券に入庫時間が記録されているものとする。この情報は制御部２４に供給される。制御部２４では駐車券リーダ１８から入庫時間が供給されると、現在時刻との差を計算し、それに基づいて精算すべき駐車料金を算出する。
【００２２】
制御部２４にはプリペイドカードリーダライタ１６からＩＤ情報及び残高情報が供給されており、該制御部２４はこれらＩＤ情報及び残高情報並びに精算金額を通信部２６を介してセンタ装置１４に送信する。そして、センタ装置１４から当該プリペイドカードが有効である旨の判断結果が送信されると、制御部２４ではプリペイドカードリーダライタ１６に対して残高情報を精算金額を減じたものに書き換えるように指示する。そして、プリペイドカードリーダライタ１６は、その指示に基づいて残高情報を書き換える。その後、プリペイドカードリーダライタ１６は、精算手段たるプリペイドカードを排出してユーザに返却する。一方、センタ装置１４から当該プリペイドカードが無効である旨の判断結果が返信されると、制御部２４ではプリペイドカードリーダライタ１６にプリペイドカードの排出を指示する。これに応じてプリペイドカードリーダライタ１６はプリペイドカードを排出して利用者に返却する。この際、図示しないディスプレイにより「無効なプリペイドカードです。」などの表示によりプリペイドカードが無効である旨を駐車場利用者に知らせるようにすることが望ましい。
【００２３】
図３は、センタ装置１４の構成を示す図である。同図に示すセンタ装置１４は通信部２８と、制御部３０と、プリペイドカード情報データベース（ＤＢ）３２と、を含んで構成されている。通信部２８は駐車料金精算機１２の通信部２６との間でデータ通信を行うものであり、駐車料金精算機１２から精算手段たるプリペイドカードのＩＤ情報及び残高情報、並びに精算金額を受信する。また、制御部３０で生成される有効性の判断結果をその判断対象であるプリペイドカードが利用されようとしている駐車料金精算機１２に対して返信する。
【００２４】
制御部３０では、駐車料金精算機１２からＩＤ情報及び残高情報を受信すると、プリペイドカード情報ＤＢ３２の記憶内容に基づいて当該プリペイドカードの有効性を判断する。図４は、プリペイドカード情報ＤＢ３２に記憶されている内容を説明する図である。同図に示すようにプリペイドカード情報ＤＢ３２には、ＩＤ情報と、残高情報と、無効フラグと、が対応付けて記録されている。センタ装置１４は、複数の駐車料金精算機１２に対してプリペイドカードの有効性を判断するサービスを提供するものであり、これら複数の駐車料金精算機１２で用いられる可能性のある多数のプリペイドカードについて、ＩＤ情報、残高情報、及び無効フラグを対応付けて記録している。ここで無効フラグは、一度センタ装置１４により無効であると判断されたプリペイドカードについて「１」が設定されるものである。有効であると判断される限りは「０」が設定される。制御部３０ではＩＤ情報及び残高情報を駐車料金精算機１２から受信すると、そのＩＤ情報に対応付けてプリペイドカード情報ＤＢ３２に記憶されている残高情報を読み出し、駐車料金精算機１２から受信した残高情報と一致するか否かを判断する。そして、一致すれば有効であると判断し、その旨の判断結果を通信部２８を介して駐車料金精算機１２に返信する。また、不一致であれば無効である旨の判断結果を通信部２８を介して駐車料金精算機１２に返信する。
【００２５】
ここでは残高情報の一致又は不一致により有効又は無効を判断するようにしたが、プリペイドカード情報ＤＢ３２に記憶される残高情報が駐車料金精算機１２から送信される残高よりも大きい場合に有効とし、逆に小さい場合に無効とするようにしてもよい。こうすれば他所においてもプリペイドカードを利用することができるようになる。
【００２６】
また、制御部３０ではプリペイドカードの有効性を判断した際、それが無効であればプリペイドカード情報ＤＢ３２の無効フラグを「１」に設定する。こうすれば、プリペイドカード情報ＤＢ３２の内容に基づいて不正追及をすることができるようになる。また、無効なプリペイドカードが再度使用された場合、残高情報を比較せずとも無効フラグから直ちに当該プリペイドカードが無効であることを判断することができるようになる。
【００２７】
以上説明した駐車料金精算システム１０によれば、駐車料金の精算をプリペイドカードで安全且つ効率的に行うことができるようになり、その結果、駐車料金の精算を駐車場出口で行うような場合においても該駐車場出口での渋滞を軽減することができるようになる。
【００２８】
なお、以上説明した駐車料金精算システム１０は種々の変形実施が可能である。例えば、以上の説明ではプリペイドカードの有効性判断をセンタ装置１４で行うようにしたが、いわば駐車料金精算機１２とセンタ装置１４とを一体的に形成して駐車料金精算機１２にプリペイドカード情報ＤＢ３２を備えるようにしておき、該駐車料金精算機１２が自らプリペイドカードの有効性判断を行うようにしてもよい。
【図面の簡単な説明】
【図１】  本発明の実施の形態に係る駐車料金精算システムの全体構成を示す図である。
【図２】  駐車料金精算機の構成を示す図である。
【図３】  センタ装置の構成を示す図である。
【図４】  プリペイドカード情報データベースの記憶内容を説明する図である。
【符号の説明】
１０  駐車料金精算システム、１２  駐車料金精算機、１４  センタ装置、１６  プリペイドカードリーダライタ、１８  駐車券リーダ、２４，３０  制御部、２６，２８  通信部、３２  プリペイドカード情報データベース。
【図１】
0003949861.tif 000002
【図２】
0003949861.tif 000003
【図３】
0003949861.tif 000004
【図４】
0003949861.tif 000005